(57)【要約】【課題】キャスター本体1の旋回に伴う高さ調整つまみ2の連れ回りのおそれを低減する。【解決手段】鉛直方向に延びている旋回軸20に対してキャスター本体1が旋回でき、キャスター本体1に支持されている水平な車軸11を中心に車輪12-1,12-2が回転できる高さ調整機能付きキャスター30において、スリーブパーツ5とナット6とボルト3と高さ調整つまみ2とによって旋回軸20を構成し、スリーブパーツ5とナット6と高さ調整つまみ2とをボルト3に対して回転させてボルト3の高さを調整し、スリーブパーツ5に対するキャスター本体1の旋回時にスリーブパーツ5とナット6と高さ調整つまみ2とがキャスター本体1と共に連れ回りするのを防止する締まり嵌めをボルト3の雄ねじ部3bと高さ調整つまみ2のボルト収容穴2cおよび／またはスリーブパーツ5の旋回軸部5aのボルト収容穴5a4とによって構成した。【選択図】図２
2010247761.tif 000002
【特許請求の範囲】
【請求項１】
鉛直方向に延びている旋回軸（２０）に対してキャスター本体（１）が旋回できるように、旋回軸（２０）をキャスター本体（１）の旋回軸収容穴（１ｂ）に装着し、
水平方向に延びている車軸（１１）を中心に車輪（１２−１，１２−２）が回転できるように、車軸（１１）をキャスター本体（１）の車軸収容穴（１ａ）に装着し、
高さ調整機能を有する高さ調整機能付きキャスター（３０）において、
スリーブパーツ（５）とナット（６）とボルト（３）と高さ調整つまみ（２）とによって旋回軸（２０）を構成し、
スリーブパーツ（５）の旋回軸部（５ａ）の係合部（５ａ２）がキャスター本体（１）の旋回軸収容穴（１ｂ）の環状突起（１ｂ２）を乗り越えるように、キャスター本体（１）の旋回軸収容穴（１ｂ）に対してスリーブパーツ（５）の旋回軸部（５ａ）を圧入することによってスリーブパーツ（５）の旋回軸部（５ａ）をキャスター本体（１）の旋回軸収容穴（１ｂ）に装着すると、
スリーブパーツ（５）の旋回軸部（５ａ）の嵌合部（５ａ１）と、キャスター本体（１）の旋回軸収容穴（１ｂ）の嵌合部（１ｂ１）とによって隙間嵌めが構成されると共に、スリーブパーツ（５）の旋回軸部（５ａ）の嵌合部（５ａ１）と係合部（５ａ２）との間の環状溝（５ａ３）と、キャスター本体（１）の旋回軸収容穴（１ｂ）の環状突起（１ｂ２）とによって隙間嵌めが構成され、
それにより、キャスター本体（１）がスリーブパーツ（５）の旋回軸部（５ａ）に対して旋回可能に構成されると共に、スリーブパーツ（５）の旋回軸部（５ａ）がキャスター本体（１）から抜けなくなり、
ナット（６）の外側表面（６ｂ）と、ナット（６）の外側表面（６ｂ）と概略相補形状のスリーブパーツ（５）の上部（５ｂ）のナット収容穴（５ｂ１）とを嵌合させることにより、ナット（６）がスリーブパーツ（５）に対して回転できないように、ナット（６）をスリーブパーツ（５）の上部（５ｂ）のナット収容穴（５ｂ１）に装着し、
スリーブパーツ（５）の上部（５ｂ）の係合突起（５ｂ２）が高さ調整つまみ（２）の収容穴（２ｂ）の係合突起（２ｂ１）を乗り越えるように、概略六角形の水平断面形状を有する高さ調整つまみ（２）の収容穴（２ｂ）に対して、高さ調整つまみ（２）の収容穴（２ｂ）と概略相補形状のスリーブパーツ（５）の上部（５ｂ）を圧入することにより、スリーブパーツ（５）の上部（５ｂ）を高さ調整つまみ（２）の収容穴（２ｂ）に装着すると、
スリーブパーツ（５）とナット（６）と高さ調整つまみ（２）とが一体化せしめられてキャスター本体（１）に対して回転可能に構成されると共に、スリーブパーツ（５）の上部（５ｂ）が高さ調整つまみ（２）から抜けなくなり、
ボルト（３）の雄ねじ部（３ｂ）を高さ調整つまみ（２）のボルト収容穴（２ｃ）に挿入すると共に、ボルト（３）の雄ねじ部（３ｂ）とナット（６）の雌ねじ部（６ａ）とを螺合させ、
一体化せしめられているスリーブパーツ（５）とナット（６）と高さ調整つまみ（２）とをボルト（３）に対して回転させることによって、ボルト（３）の高さを調整できるようにし、
スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）および／またはスリーブパーツ（５）の旋回軸部（５ａ）のボルト収容穴（５ａ４）とによって構成したことを特徴とする高さ調整機能付きキャスター（３０）。
【請求項２】
スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）の内周面の円筒状部分（２ｃ１）からボルト収容穴（２ｃ）の中心軸線側に突出せしめられた環状突起（２ｃ２）とによって構成したことを特徴とする請求項１に記載の高さ調整機能付きキャスター（３０）。
【請求項３】
スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）の内周面からボルト収容穴（２ｃ）の中心軸線側に突出せしめられた環状突起（２ｃ２）とによって構成したことを特徴とする請求項１に記載の高さ調整機能付きキャスター（３０）。
【請求項４】
１個の環状突起（２ｃ２）を高さ調整つまみ（２）のボルト収容穴（２ｃ）の内周面に形成したことを特徴とする請求項２又は３に記載の高さ調整機能付きキャスター（３０）。
【請求項５】
スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、スリーブパーツ（５）の旋回軸部（５ａ）のボルト収容穴（５ａ４）の内周面の円筒状部分（５ａ４ａ）からボルト収容穴（５ａ４）の中心軸線側に突出せしめられた平面状突起（５ａ４ｂ）とによって構成したことを特徴とする請求項１〜４のいずれか一項に記載の高さ調整機能付きキャスター（３０）。
【請求項６】
鉛直方向に延びている４個の平面状突起（５ａ４ｂ）をスリーブパーツ（５）の旋回軸部（５ａ）のボルト収容穴（５ａ４）の内周面に周方向に均等に配列したことを特徴とする請求項５に記載の高さ調整機能付きキャスター（３０）。
【発明の詳細な説明】
【技術分野】
【０００１】
本発明は、高さ調整機能付きキャスターに関し、特には、キャスター本体の旋回に伴って高さ調整つまみが連れ回りしてしまうおそれを低減することができる高さ調整機能付きキャスターに関する。
【０００２】
詳細には、本発明は、高さ調整機能付きキャスターが取り付けられている被装着体の高さがキャスター本体の旋回時における高さ調整つまみの連れ回りによって変化してしまうおそれを低減することができる高さ調整機能付きキャスターに関する。
【背景技術】
【０００３】
従来から、鉛直方向に延びている旋回軸（キャスター軸）に対してキャスター本体（車輪支持体）が旋回できるように、旋回軸（キャスター軸）がキャスター本体（車輪支持体）の旋回軸収容穴（貫通孔）に装着され、水平方向に延びている車軸（水平軸）を中心に車輪が回転できるように、車軸（水平軸）がキャスター本体（車輪支持体）の車軸収容穴に装着されている高さ調整機能付きキャスターが知られている。この種の高さ調整機能付きキャスターの例としては、例えば特開２００７−２６１５４２号公報の図４に記載されたものがある。
【０００４】
特開２００７−２６１５４２号公報の図４に記載された高さ調整機能付きキャスターでは、小径雄ねじ部が旋回軸（キャスター軸）に形成されている。また、その小径雄ねじ部がテーブルの脚の下端部に装着されている。
【０００５】
更に、特開２００７−２６１５４２号公報の図４に記載された高さ調整機能付きキャスターでは、大径雄ねじ部が、旋回軸（キャスター軸）の小径雄ねじ部の下側に形成されている。また、旋回軸（キャスター軸）の大径雄ねじ部と螺合する雌ねじ部を有する高さ調整つまみ（調整筒）が、テーブルの脚の下端部とキャスター本体（車輪支持体）の上端部との間に配置されている。
【０００６】
詳細には、特開２００７−２６１５４２号公報の図４に記載された高さ調整機能付きキャスターでは、高さ調整つまみ（調整筒）の下端部とキャスター本体（車輪支持体）の上端部との間に、平座金と滑り座金とが配置されている。つまり、テーブルの荷重によって、高さ調整つまみ（調整筒）の下端部と平座金とが当接せしめられ、平座金と滑り座金とが当接せしめられ、滑り座金とキャスター本体（車輪支持体）の上端部とが当接せしめられている。
【０００７】
更に、特開２００７−２６１５４２号公報の図４に記載された高さ調整機能付きキャスターでは、高さ調整つまみ（調整筒）が旋回軸（キャスター軸）の大径雄ねじ部に対して一方の向きに回転せしめられると、高さ調整つまみ（調整筒）が旋回軸（キャスター軸）に対して下向きに移動し、それにより、キャスター本体（車輪支持体）が旋回軸（キャスター軸）に対して下向きに高さ調整つまみ（調整筒）によって押し下げられ、その結果、テーブルの高さが高くなる。
【０００８】
一方、特開２００７−２６１５４２号公報の図４に記載された高さ調整機能付きキャスターでは、高さ調整つまみ（調整筒）が旋回軸（キャスター軸）の大径雄ねじ部に対して他方の向きに回転せしめられると、高さ調整つまみ（調整筒）が旋回軸（キャスター軸）に対して上向きに移動し、それにより、キャスター本体（車輪支持体）が高さ調整つまみ（調整筒）に追従して旋回軸（キャスター軸）に対して上向きに移動し、その結果、テーブルの高さが低くなる。
【先行技術文献】
【特許文献】
【０００９】
【特許文献１】特開２００７−２６１５４２号公報の図４
【発明の概要】
【発明が解決しようとする課題】
【００１０】
ところで、特開２００７−２６１５４２号公報の図４に記載された高さ調整機能付きキャスターでは、キャスター本体（車輪支持体）の旋回を円滑にするために高さ調整つまみ（調整筒）の下端部とキャスター本体（車輪支持体）の上端部との間に滑り座金が配置されている。
【００１１】
そのため、特開２００７−２６１５４２号公報の図４に記載された高さ調整機能付きキャスターでは、テーブルの荷重が小さい場合に、キャスター本体（車輪支持体）の上端部が滑り座金の下面に対して滑ることにより、キャスター本体（車輪支持体）が円滑に旋回できると考えられる。
【００１２】
ところが、特開２００７−２６１５４２号公報の図４に記載された高さ調整機能付きキャスターでは、テーブルの荷重が大きい場合に、テーブルの荷重の大きさに比例してキャスター本体（車輪支持体）の上端部と滑り座金との間の摩擦力が増大し、滑り座金と平座金との間の摩擦力が増大し、平座金と高さ調整つまみ（調整筒）の下端部との間の摩擦力が増大し、その結果、キャスター本体（車輪支持体）の旋回に伴って高さ調整つまみ（調整筒）が連れ回りしてしまうおそれがある。
【００１３】
つまり、特開２００７−２６１５４２号公報の図４に記載された高さ調整機能付きキャスターでは、キャスター本体（車輪支持体）の旋回に伴って高さ調整つまみ（調整筒）が連れ回りし、その結果、テーブルの高さが変化してしまうおそれがある。
【００１４】
換言すれば、特開２００７−２６１５４２号公報の図４に記載された高さ調整機能付きキャスターでは、キャスター本体（車輪支持体）の旋回時にテーブルの高さがテーブルの使用者の意に反して変化してしまうおそれがある。
【００１５】
前記問題点に鑑み、本発明は、キャスター本体の旋回に伴って高さ調整つまみが連れ回りしてしまうおそれを低減することができる高さ調整機能付きキャスターを提供することを目的とする。
【００１６】
詳細には、本発明は、高さ調整機能付きキャスターが取り付けられている被装着体の高さがキャスター本体の旋回時における高さ調整つまみの連れ回りによって変化してしまうおそれを低減することができる高さ調整機能付きキャスターを提供することを目的とする。
【課題を解決するための手段】
【００１７】
請求項１に記載の発明によれば、鉛直方向に延びている旋回軸（２０）に対してキャスター本体（１）が旋回できるように、旋回軸（２０）をキャスター本体（１）の旋回軸収容穴（１ｂ）に装着し、
水平方向に延びている車軸（１１）を中心に車輪（１２−１，１２−２）が回転できるように、車軸（１１）をキャスター本体（１）の車軸収容穴（１ａ）に装着し、
高さ調整機能を有する高さ調整機能付きキャスター（３０）において、
スリーブパーツ（５）とナット（６）とボルト（３）と高さ調整つまみ（２）とによって旋回軸（２０）を構成し、
スリーブパーツ（５）の旋回軸部（５ａ）の係合部（５ａ２）がキャスター本体（１）の旋回軸収容穴（１ｂ）の環状突起（１ｂ２）を乗り越えるように、キャスター本体（１）の旋回軸収容穴（１ｂ）に対してスリーブパーツ（５）の旋回軸部（５ａ）を圧入することによってスリーブパーツ（５）の旋回軸部（５ａ）をキャスター本体（１）の旋回軸収容穴（１ｂ）に装着すると、
スリーブパーツ（５）の旋回軸部（５ａ）の嵌合部（５ａ１）と、キャスター本体（１）の旋回軸収容穴（１ｂ）の嵌合部（１ｂ１）とによって隙間嵌めが構成されると共に、スリーブパーツ（５）の旋回軸部（５ａ）の嵌合部（５ａ１）と係合部（５ａ２）との間の環状溝（５ａ３）と、キャスター本体（１）の旋回軸収容穴（１ｂ）の環状突起（１ｂ２）とによって隙間嵌めが構成され、
それにより、キャスター本体（１）がスリーブパーツ（５）の旋回軸部（５ａ）に対して旋回可能に構成されると共に、スリーブパーツ（５）の旋回軸部（５ａ）がキャスター本体（１）から抜けなくなり、
ナット（６）の外側表面（６ｂ）と、ナット（６）の外側表面（６ｂ）と概略相補形状のスリーブパーツ（５）の上部（５ｂ）のナット収容穴（５ｂ１）とを嵌合させることにより、ナット（６）がスリーブパーツ（５）に対して回転できないように、ナット（６）をスリーブパーツ（５）の上部（５ｂ）のナット収容穴（５ｂ１）に装着し、
スリーブパーツ（５）の上部（５ｂ）の係合突起（５ｂ２）が高さ調整つまみ（２）の収容穴（２ｂ）の係合突起（２ｂ１）を乗り越えるように、概略六角形の水平断面形状を有する高さ調整つまみ（２）の収容穴（２ｂ）に対して、高さ調整つまみ（２）の収容穴（２ｂ）と概略相補形状のスリーブパーツ（５）の上部（５ｂ）を圧入することにより、スリーブパーツ（５）の上部（５ｂ）を高さ調整つまみ（２）の収容穴（２ｂ）に装着すると、
スリーブパーツ（５）とナット（６）と高さ調整つまみ（２）とが一体化せしめられてキャスター本体（１）に対して回転可能に構成されると共に、スリーブパーツ（５）の上部（５ｂ）が高さ調整つまみ（２）から抜けなくなり、
ボルト（３）の雄ねじ部（３ｂ）を高さ調整つまみ（２）のボルト収容穴（２ｃ）に挿入すると共に、ボルト（３）の雄ねじ部（３ｂ）とナット（６）の雌ねじ部（６ａ）とを螺合させ、
一体化せしめられているスリーブパーツ（５）とナット（６）と高さ調整つまみ（２）とをボルト（３）に対して回転させることによって、ボルト（３）の高さを調整できるようにし、
スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）および／またはスリーブパーツ（５）の旋回軸部（５ａ）のボルト収容穴（５ａ４）とによって構成したことを特徴とする高さ調整機能付きキャスター（３０）が提供される。
【００１８】
請求項２に記載の発明によれば、スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）の内周面の円筒状部分（２ｃ１）からボルト収容穴（２ｃ）の中心軸線側に突出せしめられた環状突起（２ｃ２）とによって構成したことを特徴とする請求項１に記載の高さ調整機能付きキャスター（３０）が提供される。
【００１９】
請求項３に記載の発明によれば、スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、高さ調整つまみ（２）のボルト収容穴（２ｃ）の内周面からボルト収容穴（２ｃ）の中心軸線側に突出せしめられた環状突起（２ｃ２）とによって構成したことを特徴とする請求項１に記載の高さ調整機能付きキャスター（３０）が提供される。
【００２０】
請求項４に記載の発明によれば、１個の環状突起（２ｃ２）を高さ調整つまみ（２）のボルト収容穴（２ｃ）の内周面に形成したことを特徴とする請求項２又は３に記載の高さ調整機能付きキャスター（３０）が提供される。
【００２１】
請求項５に記載の発明によれば、スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めを、ボルト（３）の雄ねじ部（３ｂ）と、スリーブパーツ（５）の旋回軸部（５ａ）のボルト収容穴（５ａ４）の内周面の円筒状部分（５ａ４ａ）からボルト収容穴（５ａ４）の中心軸線側に突出せしめられた平面状突起（５ａ４ｂ）とによって構成したことを特徴とする請求項１〜４のいずれか一項に記載の高さ調整機能付きキャスター（３０）が提供される。
【００２２】
請求項６に記載の発明によれば、鉛直方向に延びている４個の平面状突起（５ａ４ｂ）をスリーブパーツ（５）の旋回軸部（５ａ）のボルト収容穴（５ａ４）の内周面に周方向に均等に配列したことを特徴とする請求項５に記載の高さ調整機能付きキャスター（３０）が提供される。
【発明の効果】
【００２３】
請求項１〜６に記載の高さ調整機能付きキャスター（３０）では、鉛直方向に延びている旋回軸（２０）に対してキャスター本体（１）が旋回できるように、旋回軸（２０）がキャスター本体（１）の旋回軸収容穴（１ｂ）に装着されている。更に、水平方向に延びている車軸（１１）を中心に車輪（１２−１，１２−２）が回転できるように、車軸（１１）がキャスター本体（１）の車軸収容穴（１ａ）に装着されている。
【００２４】
詳細には、請求項１〜６に記載の高さ調整機能付きキャスター（３０）では、スリーブパーツ（５）とナット（６）とボルト（３）と高さ調整つまみ（２）とによって旋回軸（２０）が構成されている。
【００２５】
更に、請求項１〜６に記載の高さ調整機能付きキャスター（３０）では、スリーブパーツ（５）の旋回軸部（５ａ）の係合部（５ａ２）がキャスター本体（１）の旋回軸収容穴（１ｂ）の環状突起（１ｂ２）を乗り越えるように、キャスター本体（１）の旋回軸収容穴（１ｂ）に対してスリーブパーツ（５）の旋回軸部（５ａ）を圧入することによってスリーブパーツ（５）の旋回軸部（５ａ）がキャスター本体（１）の旋回軸収容穴（１ｂ）に装着されると、スリーブパーツ（５）の旋回軸部（５ａ）の嵌合部（５ａ１）と、キャスター本体（１）の旋回軸収容穴（１ｂ）の嵌合部（１ｂ１）とによって隙間嵌めが構成されると共に、スリーブパーツ（５）の旋回軸部（５ａ）の嵌合部（５ａ１）と係合部（５ａ２）との間の環状溝（５ａ３）と、キャスター本体（１）の旋回軸収容穴（１ｂ）の環状突起（１ｂ２）とによって隙間嵌めが構成される。
【００２６】
それにより、請求項１〜６に記載の高さ調整機能付きキャスター（３０）では、キャスター本体（１）がスリーブパーツ（５）の旋回軸部（５ａ）に対して旋回可能に構成されると共に、スリーブパーツ（５）の旋回軸部（５ａ）がキャスター本体（１）から抜けなくなる。
【００２７】
そのため、請求項１〜６に記載の高さ調整機能付きキャスター（３０）によれば、キャスター本体（１）に対するスリーブパーツ（５）の取り付けおよび固定を容易に行うことができる。
【００２８】
また、請求項１〜６に記載の高さ調整機能付きキャスター（３０）では、ナット（６）の外側表面（６ｂ）と、ナット（６）の外側表面（６ｂ）と概略相補形状のスリーブパーツ（５）の上部（５ｂ）のナット収容穴（５ｂ１）とを嵌合させることにより、ナット（６）がスリーブパーツ（５）に対して回転できないように、ナット（６）がスリーブパーツ（５）の上部（５ｂ）のナット収容穴（５ｂ１）に装着される。
【００２９】
更に、請求項１〜６に記載の高さ調整機能付きキャスター（３０）では、スリーブパーツ（５）の上部（５ｂ）の係合突起（５ｂ２）が高さ調整つまみ（２）の収容穴（２ｂ）の係合突起（２ｂ１）を乗り越えるように、概略六角形の水平断面形状を有する高さ調整つまみ（２）の収容穴（２ｂ）に対して、高さ調整つまみ（２）の収容穴（２ｂ）と概略相補形状のスリーブパーツ（５）の上部（５ｂ）を圧入することにより、スリーブパーツ（５）の上部（５ｂ）が高さ調整つまみ（２）の収容穴（２ｂ）に装着されると、スリーブパーツ（５）とナット（６）と高さ調整つまみ（２）とが一体化せしめられてキャスター本体（１）に対して回転可能に構成されると共に、スリーブパーツ（５）の上部（５ｂ）が高さ調整つまみ（２）から抜けなくなる。
【００３０】
そのため、請求項１〜６に記載の高さ調整機能付きキャスター（３０）によれば、接着、ねじ止めなどを用いることなく、スリーブパーツ（５）とナット（６）と高さ調整つまみ（２）とを容易に一体化させることができる。
【００３１】
また、請求項１〜６に記載の高さ調整機能付きキャスター（３０）では、ボルト（３）の雄ねじ部（３ｂ）が高さ調整つまみ（２）のボルト収容穴（２ｃ）に挿入されると共に、ボルト（３）の雄ねじ部（３ｂ）とナット（６）の雌ねじ部（６ａ）とが螺合せしめられる。更に、一体化せしめられているスリーブパーツ（５）とナット（６）と高さ調整つまみ（２）とをボルト（３）に対して回転させることにより、ボルト（３）の高さ（鉛直方向位置）が調整（変更）される。
【００３２】
そのため、請求項１〜６に記載の高さ調整機能付きキャスター（３０）によれば、ボルト（３）の高さ（鉛直方向位置）を調整（変更）することにより、高さ調整機能付きキャスター（３０）が取り付けられている被装着体の高さを調整することができる。
【００３３】
更に、請求項１〜６に記載の高さ調整機能付きキャスター（３０）では、スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうのを防止するための締まり嵌めが、ボルト（３）の雄ねじ部（３ｂ）と、高さ調整つまみ（２）のボルト収容穴（２ｃ）および／またはスリーブパーツ（５）の旋回軸部（５ａ）のボルト収容穴（５ａ４）とによって構成されている。
【００３４】
つまり、請求項１〜６に記載の高さ調整機能付きキャスター（３０）では、一体化せしめられているスリーブパーツ（５）とナット（６）と高さ調整つまみ（２）とがボルト（３）に対して回転する時における高さ調整つまみ（２）のボルト収容穴（２ｃ）および／またはスリーブパーツ（５）の旋回軸部（５ａ）のボルト収容穴（５ａ４）とボルト（３）の雄ねじ部（３ｂ）との間の摺動抵抗が、キャスター本体（１）がスリーブパーツ（５）に対して旋回する時におけるキャスター本体（１）とスリーブパーツ（５）との間の摺動抵抗よりも高くなるように、ボルト（３）の雄ねじ部（３ｂ）と高さ調整つまみ（２）のボルト収容穴（２ｃ）および／またはスリーブパーツ（５）の旋回軸部（５ａ）のボルト収容穴（５ａ４）とによって締まり嵌めが構成されている。
【００３５】
そのため、請求項１〜６に記載の高さ調整機能付きキャスター（３０）によれば、スリーブパーツ（５）に対するキャスター本体（１）の旋回時に一体化せしめられているスリーブパーツ（５）とナット（６）と高さ調整つまみ（２）とがキャスター本体（１）と共に連れ回りしてしまうおそれを低減することができる。
【００３６】
つまり、請求項１〜６に記載の高さ調整機能付きキャスター（３０）によれば、スリーブパーツ（５）に対するキャスター本体（１）の旋回時にスリーブパーツ（５）とナット（６）と高さ調整つまみ（２）とがキャスター本体（１）と共に連れ回りするのに伴って、高さ調整機能付きキャスター（３０）が取り付けられている被装着体の高さが変化してしまうおそれを低減することができる。
【図面の簡単な説明】
【００３７】
【図１】第１の実施形態の高さ調整機能付きキャスター３０を示した図である。
【図２】第１の実施形態の高さ調整機能付きキャスター３０を示した図である。
【図３】第１の実施形態の高さ調整機能付きキャスター３０の分解斜視図である。
【図４】第１の実施形態の高さ調整機能付きキャスター３０の分解斜視図である。
【図５】第１の実施形態の高さ調整機能付きキャスター３０の一部を構成するキャスター本体１の部品図である。
【図６】第１の実施形態の高さ調整機能付きキャスター３０の一部を構成するキャスター本体１の部品図である。
【図７】第１の実施形態の高さ調整機能付きキャスター３０の一部を構成するストッパ７の部品図である。
【図８】第１の実施形態の高さ調整機能付きキャスター３０の一部を構成するストッパ７の部品図である。
【図９】第１の実施形態の高さ調整機能付きキャスター３０の一部を構成するレバー４の部品図である。
【図１０】第１の実施形態の高さ調整機能付きキャスター３０の一部を構成するレバー４の部品図である。
【図１１】第１の実施形態の高さ調整機能付きキャスター３０の一部を構成するバネ座部材８の部品図である。
【図１２】第１の実施形態の高さ調整機能付きキャスター３０の一部を構成する左車輪１２−１（右車輪１２−２）の部品図である。
【図１３】第１の実施形態の高さ調整機能付きキャスター３０の一部を構成する車軸１１の部品図である。
【図１４】第１の実施形態の高さ調整機能付きキャスター３０の一部を構成するスリーブパーツ５の部品図である。
【図１５】第１の実施形態の高さ調整機能付きキャスター３０の一部を構成する高さ調整つまみ２の部品図である。
【図１６】第５の実施形態の高さ調整機能付きキャスター３０の一部を構成する高さ調整つまみ２のボルト収容穴２ｃの拡大断面図である。
【発明を実施するための形態】
【００３８】
以下、本発明の高さ調整機能付きキャスターの第１の実施形態について説明する。図１〜図４は第１の実施形態の高さ調整機能付きキャスター３０を示した図である。詳細には、図１（Ａ）は高さ調整機能付きキャスター３０の平面図である。図１（Ｂ）は高さ調整機能付きキャスター３０の左側面図である。図１（Ｃ）は高さ調整機能付きキャスター３０の底面図である。図２（Ａ）は高さ調整機能付きキャスター３０の正面図（高さ調整機能付きキャスター３０の走行時に走行方向前側から高さ調整機能付きキャスター３０を見た図）である。図２（Ｂ）は図２（Ａ）のＡ−Ａ線に沿った断面図である。図２（Ｃ）は左車輪１２−１を透視して見た高さ調整機能付きキャスター３０の左側面図である。
【００３９】
詳細には、図１（Ａ）、図１（Ｂ）、図１（Ｃ）、図２（Ａ）および図２（Ｂ）はストッパ７が左車輪１２−１および右車輪１２−２の最下点よりも上側に格納せしめらた格納位置に配置され、左車輪１２−１および右車輪１２−２によって高さ調整機能付きキャスター３０が走行可能な状態を示している。一方、図２（Ｃ）はストッパ７が左車輪１２−１および右車輪１２−２の最下点よりも下側に突出せしめらた突出位置に配置され、左車輪１２−１および右車輪１２−２によって高さ調整機能付きキャスター３０が走行することができない状態を示している。
【００４０】
図３および図４は第１の実施形態の高さ調整機能付きキャスター３０の分解斜視図である。図５および図６は第１の実施形態の高さ調整機能付きキャスター３０の一部を構成するキャスター本体１の部品図である。詳細には、図５（Ａ）はキャスター本体１の平面図、図５（Ｂ）はキャスター本体１の左側面図、図５（Ｃ）はキャスター本体１の正面図（高さ調整機能付きキャスター３０の走行時に走行方向前側からキャスター本体１を見た図）、図５（Ｄ）はキャスター本体１の底面図である。図６（Ａ）はキャスター本体１の左側面図、図６（Ｂ）はキャスター本体１の後側面図、図６（Ｃ）は図５（Ａ）のＢ−Ｂ線に沿った断面図である。
【００４１】
図７および図８は第１の実施形態の高さ調整機能付きキャスター３０の一部を構成するストッパ７の部品図である。詳細には、図７（Ａ）はストッパ７の右側面図、図７（Ｂ）はストッパ７の平面図、図７（Ｃ）はストッパ７の左側面図、図７（Ｄ）はストッパ７の後側面図、図７（Ｅ）はストッパ７の底面図、図８（Ａ）はストッパ７の斜視図、図８（Ｂ）は図７（Ｂ）のＣ−Ｃ線に沿った断面図である。
【００４２】
図９および図１０は第１の実施形態の高さ調整機能付きキャスター３０の一部を構成するレバー４の部品図である。詳細には、図９（Ａ）はレバー４の右側面図、図９（Ｂ）はレバー４の正面図、図９（Ｃ）はレバー４の左側面図、図９（Ｄ）は図９（Ｃ）のＥ−Ｅ線に沿った断面図、図１０（Ａ）は図９（Ａ）のＤ−Ｄ線に沿った断面図、図１０（Ｂ）はレバー４の斜視図である。
【００４３】
図１１は第１の実施形態の高さ調整機能付きキャスター３０の一部を構成するバネ座部材８の部品図である。詳細には、図１１（Ａ）はバネ座部材８の平面図、図１１（Ｂ）はバネ座部材８の正面図、図１１（Ｃ）はバネ座部材８の左側面図、図１１（Ｄ）はバネ座部材８の斜視図である。
【００４４】
図１２は第１の実施形態の高さ調整機能付きキャスター３０の一部を構成する左車輪１２−１（右車輪１２−２）の部品図である。詳細には、図１２（Ａ）は左車輪１２−１の左側面図（右車輪１２−２の右側面図）である。図１２（Ｂ）は左車輪１２−１の正面図（高さ調整機能付きキャスター３０の走行時に走行方向前側から左車輪１２−１を見た図）（右車輪１２−２の後側面図（高さ調整機能付きキャスター３０の走行時に走行方向後側から右車輪１２−２を見た図））である。図１２（Ｃ）は図１２（Ａ）のＦ−Ｆ線に沿った断面図、図１２（Ｄ）は左車輪１２−１の斜視図（右車輪１２−２の斜視図）である。
【００４５】
図１３は第１の実施形態の高さ調整機能付きキャスター３０の一部を構成する車軸１１の部品図である。詳細には、図１３（Ａ）は車軸１１の正面図、図１３（Ｂ）は車軸１１の右側面図である。図１４は第１の実施形態の高さ調整機能付きキャスター３０の一部を構成するスリーブパーツ５の部品図である。詳細には、図１４（Ａ）はスリーブパーツ５の平面図、図１４（Ｂ）はスリーブパーツ５の正面図、図１４（Ｃ）はスリーブパーツ５の斜視図、図１４（Ｄ）は図１４（Ｂ）のＧ−Ｇ線に沿った断面図、図１４（Ｅ）は図１４（Ａ）に示すボルト収容穴５ａ４の拡大図である。
【００４６】
図１５は第１の実施形態の高さ調整機能付きキャスター３０の一部を構成する高さ調整つまみ２の部品図である。詳細には、図１５（Ａ）は高さ調整つまみ２の正面図、図１５（Ｂ）は高さ調整つまみ２の底面図、図１５（Ｃ）は図１５（Ｂ）のＨ−Ｈ線に沿った断面図、図１５（Ｄ）は高さ調整つまみ２の斜視図、図１５（Ｅ）は図１５（Ｃ）に示すボルト収容穴２ｃの拡大断面図である。図１６は第５の実施形態の高さ調整機能付きキャスター３０の一部を構成する高さ調整つまみ２のボルト収容穴２ｃの拡大断面図である。
【００４７】
第１の実施形態の高さ調整機能付きキャスター３０では、図２（Ｂ）、図３および図４に示すように、例えばＰＡのような樹脂材料などによって形成されたスリーブパーツ５と、例えば金属製のナット６と、例えば金属製のボルト３と、例えばＰＡ、ＰＯＭのような樹脂材料などによって形成された高さ調整つまみ２とによって、旋回軸ユニット２０が構成されている。
【００４８】
第１の実施形態の高さ調整機能付きキャスター３０の組立時には、図２（Ｂ）、図３および図４に示すように、旋回軸ユニット２０が、例えばＰＡのような樹脂材料などによって形成されたキャスター本体１の旋回軸収容穴１ｂ（図５および図６参照）に装着される。詳細には、第１の実施形態の高さ調整機能付きキャスター３０の組立時には、図２（Ｂ）に示すように、スリーブパーツ５の旋回軸部５ａ（図１４参照）の係合部５ａ２（図１４参照）がキャスター本体１の旋回軸収容穴１ｂの環状突起１ｂ２（図６（Ｃ）参照）を乗り越えるように、キャスター本体１の旋回軸収容穴１ｂに対してスリーブパーツ５の旋回軸部５ａが圧入され、スリーブパーツ５の旋回軸部５ａがキャスター本体１の旋回軸収容穴１ｂに装着される。
【００４９】
その結果、第１の実施形態の高さ調整機能付きキャスター３０では、図２（Ｂ）に示すように、スリーブパーツ５の旋回軸部５ａ（図１４参照）の嵌合部５ａ１（図１４参照）と、キャスター本体１の旋回軸収容穴１ｂ（図６（Ｃ）参照）の嵌合部１ｂ１（図６（Ｃ）参照）とによって隙間嵌めが構成される。更に、スリーブパーツ５の旋回軸部５ａの嵌合部５ａ１と係合部５ａ２（図１４参照）との間の環状溝５ａ３（図１４参照）と、キャスター本体１の旋回軸収容穴１ｂの環状突起１ｂ２（図６（Ｃ）参照）とによって隙間嵌めが構成される。
【００５０】
そのため、第１の実施形態の高さ調整機能付きキャスター３０では、図２（Ｂ）に示すように、鉛直方向（図２（Ｂ）の上下方向）に延びているスリーブパーツ５の旋回軸部５ａ（図１４参照）に対してキャスター本体１が旋回可能に構成される。更に、スリーブパーツ５の旋回軸部５ａがキャスター本体１から抜けなくなる。
【００５１】
また、第１の実施形態の高さ調整機能付きキャスター３０では、図５および図６に示すように、鉛直方向に延びている係合溝１ｃ２（図５（Ｂ）および図５（Ｄ）参照）がキャスター本体１の左側面１ｃに形成されている。更に、鉛直方向に延びている係合溝１ｄ２（図５（Ｄ）および図６（Ａ））がキャスター本体１の右側面１ｄに形成されている。
【００５２】
更に、第１の実施形態の高さ調整機能付きキャスター３０では、キャスター本体１（図５および図６参照）の左側面１ｃ（図５および図６参照）の係合溝１ｃ２（図５（Ｂ）および図５（Ｄ）参照）と係合する係合突起７ｃ１ａ（図７（Ｂ）および図８（Ａ）参照）が、例えばＰＡのような樹脂材料などによって形成されたストッパ７（図７および図８参照）の左側壁部７ｃ（図７および図８参照）の内側表面７ｃ１（図７（Ｂ）参照）に形成されている。また、キャスター本体１の右側面１ｄ（図５および図６参照）の係合溝１ｄ２（図５（Ｄ）および図６（Ａ）参照）と係合する係合突起７ｄ１ａ（図７（Ｂ）、図８（Ａ）および図８（Ｂ）参照）が、ストッパ７の右側壁部７ｄ（図７および図８参照）の内側表面７ｄ１（図７（Ｂ）、図８（Ａ）および図８（Ｂ）参照）に形成されている。
【００５３】
また、第１の実施形態の高さ調整機能付きキャスター３０では、図８（Ａ）に示すように、ストッパ７の左側壁部７ｃと右側壁部７ｄとが、底部７ｂによって橋絡されている。更に、図８（Ａ）および図８（Ｂ）に示すように、ストッパ７の底部７ｂから鉛直方向上向き（図８（Ｂ）の上向き）に延びている柱状凸部７ｂ１が設けられている。
【００５４】
更に、第１の実施形態の高さ調整機能付きキャスター３０では、図５（Ｄ）および図６（Ｃ）に示すように、ストッパ７（図７および図８参照）の柱状凸部７ｂ１（図７および図８参照）を収容するための収容穴１ｆ１が、キャスター本体１の底面１ｆに形成されている。
【００５５】
第１の実施形態の高さ調整機能付きキャスター３０の組立時には、図３に示すように、ストッパ７が格納位置に位置するようにストッパ７を鉛直方向上向き（図３の上向き）に付勢する圧縮コイルバネ９と、圧縮コイルバネ９の下端部９ｂに当接する上側表面８ｃ（図１１参照）を有する例えばＰＡのような樹脂材料などによって形成されたバネ座部材８とが、ストッパ７の柱状凸部７ｂ１（図７および図８参照）の周りに配置される。更に、圧縮コイルバネ９の上端部９ａと当接するねじ頭１０ｂを有する例えば金属製のねじ１０が、ストッパ７の柱状凸部７ｂ１の上端部にねじ止めされる。詳細には、ねじ１０の雄ねじ部１０ａと、ストッパ７の柱状凸部７ｂ１のねじ収容穴７ｂ１ｂ（図７（Ｂ）、図８（Ａ）および図８（Ｂ）参照）とが螺合せしめられる。
【００５６】
次いで、第１の実施形態の高さ調整機能付きキャスター３０の組立時には、図３に示すように、バネ座部材８が、キャスター本体１の底面１ｆ（図５および図６参照）の収容穴１ｆ１（図５（Ｄ）および図６（Ｃ）参照）の入口部分に装着される。
【００５７】
詳細には、第１の実施形態の高さ調整機能付きキャスター３０の組立時には、バネ座部材８の外側表面８ａ（図１１参照）の係合突起８ａ２（図１１参照）がキャスター本体１の底面１ｆ（図５および図６参照）の収容穴１ｆ１（図５（Ｄ）および図６（Ｃ）参照）の入口部分の嵌合部１ｆ２（図６（Ｃ）参照）を乗り越えるように、キャスター本体１の底面１ｆの収容穴１ｆ１の入口部分に対してバネ座部材８が圧入され、バネ座部材８がキャスター本体１の底面１ｆの収容穴１ｆ１の入口部分に装着される。
【００５８】
その結果、第１の実施形態の高さ調整機能付きキャスター３０では、図２（Ｂ）に示すように、バネ座部材８の外側表面８ａ（図１１参照）の嵌合部８ａ１（図１１参照）と、キャスター本体１の底面１ｆ（図５および図６参照）の収容穴１ｆ１（図６（Ｃ）参照）の入口部分の嵌合部１ｆ２（図６（Ｃ）参照）とが嵌合せしめられる。更に、バネ座部材８の外側表面８ａの係合突起８ａ２（図１１参照）と、キャスター本体１の底面１ｆの収容穴１ｆ１の入口部分の係合溝１ｆ３（図６（Ｃ）参照）とが嵌合せしめられる。
【００５９】
そのため、第１の実施形態の高さ調整機能付きキャスター３０では、図２（Ｂ）に示すように、バネ座部材８がキャスター本体１の底面１ｆ（図５および図６参照）の収容穴１ｆ１（図６（Ｃ）参照）の入口部分から抜けなくなる。その結果、圧縮コイルバネ９によってストッパ７が鉛直方向上向き（図２（Ｂ）の上向き）に付勢され、図２（Ｂ）に示す状態では、ストッパ７の接地部７ａ（図７および図８参照）が左車輪１２−１（図２（Ａ）参照）および右車輪１２−２の最下点よりも上側に格納されている格納位置にストッパ７が配置されている。
【００６０】
詳細には、第１の実施形態の高さ調整機能付きキャスター３０では、図２（Ｂ）に示すように、バネ座部材８の内側表面８ｂ（図１１参照）と、ストッパ７の柱状凸部７ｂ１（図７および図８参照）の外側表面７ｂ１ａ（図７および図８参照）とによって、隙間嵌め（滑り嵌め）が構成されている。更に、キャスター本体１の前側面１ｅ（図５（Ｂ）、図５（Ｄ）および図６（Ｃ）参照）と、ストッパ７の前側壁部７ｅ（図７および図８参照）の内側表面７ｅ１（図７（Ｂ）および図８（Ｂ）参照）とによって、隙間嵌め（滑り嵌め）が構成されている。
【００６１】
また、第１の実施形態の高さ調整機能付きキャスター３０では、キャスター本体１（図５および図６参照）の左側面１ｃ（図５および図６参照）の凸状面１ｃ１（図５（Ｂ）および図５（Ｄ）参照）と、ストッパ７（図７および図８参照）の左側壁部７ｃ（図７（Ｂ）、図７（Ｃ）および図８（Ａ）参照）の内側表面７ｃ１（図７（Ｂ）参照）とによって、隙間嵌め（滑り嵌め）が構成されている。更に、キャスター本体１の左側面１ｃの係合溝１ｃ２（図５（Ｂ）および図５（Ｄ）参照）と、ストッパ７の左側壁部７ｃの内側表面７ｃ１の係合突起７ｃ１ａ（図７（Ｂ）および図８（Ａ）参照）とによって、隙間嵌め（滑り嵌め）が構成されている。
【００６２】
更に、第１の実施形態の高さ調整機能付きキャスター３０では、キャスター本体１（図５および図６参照）の右側面１ｄ（図５および図６参照）の凸状面１ｄ１（図５（Ｄ）および図６（Ａ）参照）と、ストッパ７（図７および図８参照）の右側壁部７ｄ（図７（Ａ）、図７（Ｂ）、図８（Ａ）および図８（Ｂ）参照）の内側表面７ｄ１（図７（Ｂ）、図８（Ａ）および図８（Ｂ）参照）とによって、隙間嵌め（滑り嵌め）が構成されている。更に、キャスター本体１の右側面１ｄの係合溝１ｄ２（図５（Ｄ）および図６（Ａ）参照）と、ストッパ７の右側壁部７ｄの内側表面７ｄ１の係合突起７ｄ１ａ（図７（Ｂ）、図８（Ａ）および図８（Ｂ）参照）とによって、隙間嵌め（滑り嵌め）が構成されている。
【００６３】
その結果、第１の実施形態の高さ調整機能付きキャスター３０では、ストッパ７（図７および図８参照）がキャスター本体１（図５および図６参照）に対して鉛直方向（図２（Ｂ）の上下方向）に円滑にスライドすることができる。
【００６４】
更に、第１の実施形態の高さ調整機能付きキャスター３０では、図３に示すように、キャスター本体１の左側面１ｃ（図５および図６参照）と左車輪１２−１との間に配置される左フランジ部４ａ（図９および図１０参照）と、キャスター本体１の右側面１ｄ（図５および図６参照）と右車輪１２−２との間に配置される右フランジ部４ｂ（図９および図１０参照）と、左フランジ部４ａと右フランジ部４ｂとを橋絡する中央部４ｃ（図９および図１０参照）とが、例えばＰＡのような樹脂材料などによって形成されたレバー４に設けられている。
【００６５】
第１の実施形態の高さ調整機能付きキャスター３０の組立時には、図３に示すように、レバー４の左フランジ部４ａ（図９および図１０参照）がキャスター本体１の左側面１ｃ（図５および図６参照）の左側（図３の左側）に配置されると共に、レバー４の右フランジ部４ｂ（図９および図１０参照）がキャスター本体１の右側面１ｄ（図５および図６参照）の右側（図３の右側）に配置される。次いで、水平方向に延びている例えば金属製の車軸１１が、レバー４の左フランジ部４ａの車軸収容穴４ａ１（図９（Ｃ）、図９（Ｄ）および図１０（Ｂ）参照）、キャスター本体１の車軸収容穴１ａ（図５（Ｂ）、図６（Ａ）および図６（Ｂ）参照）およびレバー４の右フランジ部４ｂの車軸収容穴４ｂ１（図９（Ｄ）、図１０（Ａ）および図１０（Ｂ）参照）に挿入される。
【００６６】
詳細には、第１の実施形態の高さ調整機能付きキャスター３０では、レバー４（図９および図１０参照）の左フランジ部４ａ（図９および図１０参照）の車軸収容穴４ａ１（図９（Ｃ）、図９（Ｄ）および図１０（Ｂ）参照）と、車軸１１（図１３参照）の外周面うち、レバー４の左フランジ部４ａの車軸収容穴４ａ１と嵌合する嵌合部１１ｂ（図１３参照）とによって隙間嵌めが構成されている。更に、レバー４の右フランジ部４ｂ（図９および図１０参照）の車軸収容穴４ｂ１（図９（Ｄ）、図１０（Ａ）および図１０（Ｂ）参照）と、車軸１１の外周面うち、レバー４の右フランジ部４ｂの車軸収容穴４ｂ１と嵌合する嵌合部１１ｃ（図１３参照）とによって隙間嵌めが構成されている。その結果、レバー４が車軸１１を中心に回転可能に構成されている。
【００６７】
次いで、第１の実施形態の高さ調整機能付きキャスター３０の組立時には、図３に示すように、左車輪１２−１が車軸１１の左端部１１ｄ（図１３参照）に取り付けられると共に、右車輪１２−２が車軸１１の右端部１１ｅ（図１３参照）に取り付けられる。詳細には、第１の実施形態の高さ調整機能付きキャスター３０の組立時には、図４に示すように、左ホイールカバー１３−１が左車輪１２−１に取り付けられると共に、右ホイールカバー１３−２が右車輪１２−２に取り付けられる。
【００６８】
第１の実施形態の高さ調整機能付きキャスター３０では、図４に示すように、左車輪１２−１と左ホイールカバー１３−１とが別個に設けられ、右車輪１２−２と右ホイールカバー１３−２とが別個に設けられているが、第２の実施形態の高さ調整機能付きキャスター３０では、代わりに、左ホイールカバー１３−１を省略すると共に、右ホイールカバー１３−２を省略することも可能である。あるいは、第３の実施形態の高さ調整機能付きキャスター３０では、代わりに、左車輪１２−１と左ホイールカバー１３−１とを一部材として形成すると共に、右車輪１２−２と右ホイールカバー１３−２とを一部材として形成することも可能である。
【００６９】
詳細には、第１の実施形態の高さ調整機能付きキャスター３０の組立時には、図１２および図１３に示すように、車軸１１の左端部１１ｄの係合部１１ｄ２が左車輪１２−１の車軸収容穴１２−１ａの環状突起１２−１ａ２を乗り越えるように、左車輪１２−１の車軸収容穴１２−１ａに対して車軸１１の左端部１１ｄが圧入され、左車輪１２−１が車軸１１の左端部１１ｄに取り付けられる。
【００７０】
その結果、第１の実施形態の高さ調整機能付きキャスター３０では、図１２および図１３に示すように、車軸１１の左端部１１ｄの嵌合部１１ｄ１と、左車輪１２−１の車軸収容穴１２−１ａの嵌合部１２−１ａ１とによって隙間嵌めが構成されると共に、車軸１１の左端部１１ｄの嵌合部１１ｄ１と係合部１１ｄ２との間の環状溝１１ｄ３と、左車輪１２−１の車軸収容穴１２−１ａの環状突起１２−１ａ２とによって隙間嵌めが構成される。
【００７１】
そのため、第１の実施形態の高さ調整機能付きキャスター３０では、図１２および図１３に示すように、左車輪１２−１が車軸１１の左端部１１ｄに対して回転可能に構成されると共に、車軸１１の左端部１１ｄが左車輪１２−１から抜けなくなる。
【００７２】
同様に、第１の実施形態の高さ調整機能付きキャスター３０の組立時には、図１２および図１３に示すように、車軸１１の右端部１１ｅの係合部１１ｅ２が右車輪１２−２の車軸収容穴１２−２ａの環状突起１２−２ａ２を乗り越えるように、右車輪１２−２の車軸収容穴１２−２ａに対して車軸１１の右端部１１ｅが圧入され、右車輪１２−２が車軸１１の右端部１１ｅに取り付けられる。
【００７３】
その結果、第１の実施形態の高さ調整機能付きキャスター３０では、図１２および図１３に示すように、車軸１１の右端部１１ｅの嵌合部１１ｅ１と、右車輪１２−２の車軸収容穴１２−２ａの嵌合部１２−２ａ１とによって隙間嵌めが構成されると共に、車軸１１の右端部１１ｅの嵌合部１１ｅ１と係合部１１ｅ２との間の環状溝１１ｅ３と、右車輪１２−２の車軸収容穴１２−２ａの環状突起１２−２ａ２とによって隙間嵌めが構成される。
【００７４】
そのため、第１の実施形態の高さ調整機能付きキャスター３０では、図１２および図１３に示すように、右車輪１２−２が車軸１１の右端部１１ｅに対して回転可能に構成されると共に、車軸１１の右端部１１ｅが右車輪１２−２から抜けなくなる。
【００７５】
更に、第１の実施形態の高さ調整機能付きキャスター３０では、図２（Ｃ）に示すように、レバー４のロック用ハンドル部４ｃ１が図２（Ｃ）の下向きに押動される（押し下げられる）ことによってレバー４がロック位置に配置される時に、ストッパ７の接地部７ａ（図７および図８参照）が左車輪１２−１（図２（Ａ）および図２（Ｂ）参照）および右車輪１２−２（図２（Ｂ）参照）の最下点よりも下側（図２（Ｃ）の下側）に突出せしめられている突出位置にストッパ７が配置される。
【００７６】
詳細には、第１の実施形態の高さ調整機能付きキャスター３０では、図２（Ｃ）に示すように、レバー４がロック位置に配置される時に、レバー４の左フランジ部４ａ（図９および図１０参照）の高カム部４ａ２（図９（Ｃ）および図１０（Ｂ）参照）がストッパ７の左側壁部７ｃ（図７（Ｂ）、図７（Ｃ）および図８（Ａ）参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）に当接すると共に、レバー４の右フランジ部４ｂ（図９および図１０参照）の高カム部４ｂ２（図１０（Ａ）参照）がストッパ７の右側壁部７ｄ（図７（Ａ）、図７（Ｂ）、図８（Ａ）および図８（Ｂ）参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）に当接する。その結果、図２（Ｃ）に示すように、ストッパ７が突出位置に配置される。
【００７７】
更に詳細には、第１の実施形態の高さ調整機能付きキャスター３０では、レバー４（図９および図１０参照）の左フランジ部４ａ（図９および図１０参照）の高カム部４ａ２（図９（Ｃ）および図１０（Ｂ）参照）の先端部４ａ２ａ（図９（Ｃ）および図１０（Ｂ）参照）と概略相補形状の収容凹部７ｃ２ａ１（図７（Ｂ）、図７（Ｃ）および図８（Ａ）参照）が、ストッパ７（図７および図８参照）の左側壁部７ｃ（図７（Ｂ）、図７（Ｃ）および図８（Ａ）参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）に形成されている。
【００７８】
同様に、第１の実施形態の高さ調整機能付きキャスター３０では、レバー４（図９および図１０参照）の右フランジ部４ｂ（図９および図１０参照）の高カム部４ｂ２（図１０（Ａ）参照）の先端部４ｂ２ａ（図１０（Ａ）参照）と概略相補形状の収容凹部７ｄ２ａ１（図７（Ａ）、図７（Ｂ）および図８（Ａ）参照）が、ストッパ７（図７および図８参照）の右側壁部７ｄ（図７（Ａ）、図７（Ｂ）、図８（Ａ）および図８（Ｂ）参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）に形成されている。
【００７９】
そのため、第１の実施形態の高さ調整機能付きキャスター３０では、図２（Ｃ）に示すように、レバー４がロック位置に配置される時に、レバー４の左フランジ部４ａ（図９および図１０参照）の高カム部４ａ２（図９（Ｃ）および図１０（Ｂ）参照）の先端部４ａ２ａ（図９（Ｃ）および図１０（Ｂ）参照）と、ストッパ７の左側壁部７ｃ（図７（Ｂ）、図７（Ｃ）および図８（Ａ）参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）の収容凹部７ｃ２ａ１（図７（Ｂ）、図７（Ｃ）および図８（Ａ）参照）とが嵌合せしめられると共に、レバー４の右フランジ部４ｂ（図９および図１０参照）の高カム部４ｂ２（図１０（Ａ）参照）の先端部４ｂ２ａ（図１０（Ａ）参照）と、ストッパ７の右側壁部７ｄ（図７（Ａ）、図７（Ｂ）、図８（Ａ）および図８（Ｂ）参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）の収容凹部７ｄ２ａ１（図７（Ａ）、図７（Ｂ）および図８（Ａ）参照）とが嵌合せしめられる。
【００８０】
詳細には、第１の実施形態の高さ調整機能付きキャスター３０では、図２（Ｃ）に示すように、レバー４がロック位置に配置される時に、レバー４の左フランジ部４ａ（図９および図１０参照）の高カム部４ａ２（図９（Ｃ）および図１０（Ｂ）参照）の先端部４ａ２ａ（図９（Ｃ）および図１０（Ｂ）参照）と嵌合せしめられるストッパ７の左側壁部７ｃ（図７（Ｂ）、図７（Ｃ）および図８（Ａ）参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）の収容凹部７ｃ２ａ１（図７（Ｂ）、図７（Ｃ）および図８（Ａ）参照）が、車軸１１の中心軸線を含む鉛直面ＶＳを隔ててレバー４のロック用ハンドル部４ｃ１（図９および図１０参照）の反対側（図２（Ｃ）の右側）に配置されている。
【００８１】
つまり、第１の実施形態の高さ調整機能付きキャスター３０では、図２（Ｃ）に示すように、レバー４がロック位置に配置される時に、レバー４をアンロック位置に戻す側とは反対側の向きに（図２（Ｃ）の反時計回りにレバー４を回転させる向きに）、左フランジ部４ａ（図９および図１０参照）の高カム部４ａ２（図９（Ｃ）および図１０（Ｂ）参照）の先端部４ａ２ａ（図９（Ｃ）および図１０（Ｂ）参照）が、ストッパ７の左側壁部７ｃ（図７および図８参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）の収容凹部７ｃ２ａ１（図７（Ｂ）、図７（Ｃ）および図８（Ａ）参照）から力を受けている。
【００８２】
同様に、第１の実施形態の高さ調整機能付きキャスター３０では、図２（Ｃ）に示すように、レバー４がロック位置に配置される時に、レバー４の右フランジ部４ｂ（図９および図１０参照）の高カム部４ｂ２（図１０（Ａ）参照）の先端部４ｂ２ａ（図１０（Ａ）参照）と嵌合せしめられるストッパ７の右側壁部７ｄ（図７（Ａ）、図７（Ｂ）、図８（Ａ）および図８（Ｂ）参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）の収容凹部７ｄ２ａ１（図７（Ａ）、図７（Ｂ）および図８（Ａ）参照）が、車軸１１の中心軸線を含む鉛直面ＶＳを隔ててレバー４のロック用ハンドル部４ｃ１（図９および図１０参照）の反対側（図２（Ｃ）の右側）に配置されている。
【００８３】
つまり、第１の実施形態の高さ調整機能付きキャスター３０では、図２（Ｃ）に示すように、レバー４がロック位置に配置される時に、レバー４をアンロック位置に戻す側とは反対側の向きに（図２（Ｃ）の反時計回りにレバー４を回転させる向きに）、右フランジ部４ｂ（図９および図１０参照）の高カム部４ｂ２（図１０（Ａ）参照）の先端部４ｂ２ａ（図１０（Ａ）参照）が、ストッパ７の右側壁部７ｄ（図７および図８参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）の収容凹部７ｄ２ａ１（図７（Ａ）、図７（Ｂ）および図８（Ａ）参照）から力を受けている。
【００８４】
一方、第１の実施形態の高さ調整機能付きキャスター３０では、図１、図２（Ａ）および図２（Ｂ）に示すように、レバー４のアンロック用ハンドル部４ｃ２（図９および図１０参照）が押動される（押し上げられる）ことによってレバー４がアンロック位置に配置される時に、ストッパ７の接地部７ａ（図７および図８参照）が左車輪１２−１および右車輪１２−２の最下点よりも上側に格納されている格納位置にストッパ７が配置される。
【００８５】
詳細には、第１の実施形態の高さ調整機能付きキャスター３０では、図１、図２（Ａ）および図２（Ｂ）に示すように、レバー４がアンロック位置に配置されると、レバー４の左フランジ部４ａ（図９および図１０参照）の高カム部４ａ２（図９（Ｃ）および図１０（Ｂ）参照）がストッパ７の左側壁部７ｃ（図７（Ｂ）、図７（Ｃ）および図８（Ａ）参照）の上側表面７ｃ２（図７（Ｂ）、図７（Ｃ）、図７（Ｄ）および図８（Ａ）参照）の高カム当接部７ｃ２ａ（図７（Ｂ）、図７（Ｃ）および図８（Ａ）参照）に当接しなくなると共に、レバー４の右フランジ部４ｂ（図９および図１０参照）の高カム部４ｂ２（図１０（Ａ）参照）がストッパ７の右側壁部７ｄ（図７（Ａ）、図７（Ｂ）、図８（Ａ）および図８（Ｂ）参照）の上側表面７ｄ２（図７（Ａ）、図７（Ｂ）、図７（Ｄ）および図８（Ｂ）参照）の高カム当接部７ｄ２ａ（図７（Ａ）、図７（Ｂ）および図８（Ａ）参照）に当接しなくなる。
【００８６】
その結果、第１の実施形態の高さ調整機能付きキャスター３０では、図２（Ｂ）に示すように、ストッパ７が圧縮コイルバネ９によって格納位置の側（図２（Ｂ）の上側）に戻され、レバー４の左フランジ部４ａ（図９および図１０参照）の低カム部４ａ３（図９（Ｃ）および図１０（Ｂ）参照）がストッパ７の左側壁部７ｃ（図７および図８参照）の上側表面７ｃ２（図７（Ｂ）、図７（Ｃ）、図７（Ｄ）および図８（Ａ）参照）の低カム当接部７ｃ２ｂ（図７（Ｂ）、図７（Ｃ）および図８（Ａ）参照）に当接すると共に、レバー４の右フランジ部４ｂ（図９および図１０）の低カム部４ｂ３（図１０（Ａ）参照））がストッパ７の右側壁部７ｄ（図７および図８参照）の上側表面７ｄ２（図７（Ａ）、図７（Ｂ）、図７（Ｄ）および図８（Ｂ）参照）の低カム当接部７ｄ２ｂ（図７（Ａ）、図７（Ｂ）、図８（Ａ）および図８（Ｂ）参照）に当接する。それにより、図２（Ａ）および図２（Ｂ）に示すように、ストッパ７が格納位置に配置されると共に、図１（Ｂ）および図２（Ｂ）に示すように、レバー４がアンロック位置に配置される。
【００８７】
詳細には、第１の実施形態の高さ調整機能付きキャスター３０の組立時には、図４に示すように、ナット６の外側表面６ｂと、ナット６の外側表面６ｂと概略相補形状のスリーブパーツ５の上部５ｂ（図１４参照）のナット収容穴５ｂ１（図１４参照）とを嵌合させることにより、ナット６がスリーブパーツ５に対して回転できないように、ナット６がスリーブパーツ５の上部５ｂのナット収容穴５ｂ１に装着される。更に、スリーブパーツ５の上部５ｂの係合突起５ｂ２（図１４参照）が高さ調整つまみ２の収容穴２ｂ（図１５参照）の係合突起２ｂ１（図１５参照）を乗り越えるように、概略六角形の水平断面形状を有する高さ調整つまみ２の収容穴２ｂに対して、高さ調整つまみ２の収容穴２ｂと概略相補形状のスリーブパーツ５の上部５ｂを圧入することにより、スリーブパーツ５の上部５ｂが高さ調整つまみ２の収容穴２ｂに装着される。
【００８８】
その結果、第１の実施形態の高さ調整機能付きキャスター３０では、図２（Ｂ）に示すように、スリーブパーツ５とナット６と高さ調整つまみ２とが一体化せしめられてキャスター本体１に対して回転可能に構成されると共に、スリーブパーツ５の上部５ｂ（図１４参照）が高さ調整つまみ２から抜けなくなる。
【００８９】
更に、第１の実施形態の高さ調整機能付きキャスター３０の組立時には、図４に示すように、ボルト３の雄ねじ部３ｂが高さ調整つまみ２のボルト収容穴２ｃ（図１５参照）に挿入されると共に、ボルト３の雄ねじ部３ｂとナット６の雌ねじ部６ａとが螺合せしめられる。
【００９０】
その結果、第１の実施形態の高さ調整機能付きキャスター３０では、図２（Ｂ）に示すように、一体化せしめられているスリーブパーツ５とナット６と高さ調整つまみ２とをボルト３に対して回転させることにより、ボルト３の鉛直方向（図２（Ｂ）の上下方向）位置を変更することができる。
【００９１】
第１の実施形態の高さ調整機能付きキャスター３０は、例えば家具などのような被装着体（図示せず）の底面（図示せず）に対して取り付けられる。詳細には、被装着体の底面に形成された雌ねじ部（図示せず）と、ボルト３（図４参照）の雄ねじ部３ａ（図４参照）とを螺合させることにより、高さ調整機能付きキャスター３０が被装着体の底面に取り付けられる。
【００９２】
更に、第１の実施形態の高さ調整機能付きキャスター３０では、図２（Ｂ）に示すように、一体化せしめられているスリーブパーツ５とナット６と高さ調整つまみ２とをボルト３に対して回転させ、ボルト３の鉛直方向（図２（Ｂ）の上下方向）位置を変更することにより、床面に対する被装着体の高さを調整することができる。
【００９３】
第１の実施形態の高さ調整機能付きキャスター３０では、上述したように、被装着体（図示せず）の底面（図示せず）に形成された雌ねじ部（図示せず）と、ボルト３（図４参照）の雄ねじ部３ａ（図４参照）とを螺合させることにより、高さ調整機能付きキャスター３０が被装着体の底面に取り付けられるが、第４の実施形態の高さ調整機能付きキャスター３０では、代わりに、ボルト３の雄ねじ部３ａを省略すると共に、ボルト３の中間部３ｃを板状に構成し、被装着体の底面とボルト３の中間部３ｃとを接合することにより、高さ調整機能付きキャスター３０を被装着体の底面に取り付けることも可能である。
【００９４】
また、第１の実施形態の高さ調整機能付きキャスター３０では、図２（Ｂ）に示すように、スリーブパーツ５に対するキャスター本体１の旋回時に、一体化せしめられているスリーブパーツ５とナット６と高さ調整つまみ２とがキャスター本体１と共にボルト３に対して連れ回りしてしまうのを防止するために、ボルト３の雄ねじ部３ｂ（図４参照）と高さ調整つまみ２のボルト収容穴２ｃ（図１５参照）とによって締まり嵌めが構成されている。
【００９５】
詳細には、第１の実施形態の高さ調整機能付きキャスター３０では、スリーブパーツ５（図２（Ｂ）参照）に対するキャスター本体１（図２（Ｂ）参照）の旋回時に一体化せしめられているスリーブパーツ５（図２（Ｂ）参照）とナット６（図２（Ｂ）参照）と高さ調整つまみ２（図２（Ｂ）参照）とがキャスター本体１（図２（Ｂ）参照）と共に連れ回りしてしまうのを防止するための締まり嵌めが、ボルト３（図２（Ｂ）参照）の雄ねじ部３ｂ（図４参照）と、高さ調整つまみ２（図２（Ｂ）参照）のボルト収容穴２ｃ（図１５参照）の内周面の円筒状部分２ｃ１（図１５（Ｅ）参照）からボルト収容穴２ｃ（図１５参照）の中心軸線側に突出せしめられた環状突起２ｃ２（図１５（Ｅ）参照）とによって構成されている。
【００９６】
更に詳細には、第１の実施形態の高さ調整機能付きキャスター３０では、１個の環状突起２ｃ２（図１５（Ｅ）参照）が高さ調整つまみ２（図２（Ｂ）および図１５参照）のボルト収容穴２ｃ（図１５参照）の内周面に形成されている。
【００９７】
第１の実施形態の高さ調整機能付きキャスター３０では、上述したように、例えばＰＡ、ＰＯＭのような硬質な樹脂材料などによって高さ調整つまみ２（図１５参照）が形成されているが、第５の実施形態の高さ調整機能付きキャスター３０では、代わりに、例えばポリウレタン、ゴムのような軟質な樹脂材料などによって高さ調整つまみ２が形成されている。
【００９８】
第５の実施形態の高さ調整機能付きキャスター３０では、第１の実施形態の高さ調整機能付きキャスター３０と同様に、図２（Ｂ）に示すように、スリーブパーツ５に対するキャスター本体１の旋回時に、一体化せしめられているスリーブパーツ５とナット６と高さ調整つまみ２とがキャスター本体１と共にボルト３に対して連れ回りしてしまうのを防止するために、ボルト３の雄ねじ部３ｂ（図４参照）と高さ調整つまみ２のボルト収容穴２ｃ（図１６参照）とによって締まり嵌めが構成されている。
【００９９】
詳細には、第５の実施形態の高さ調整機能付きキャスター３０では、スリーブパーツ５（図２（Ｂ）参照）に対するキャスター本体１（図２（Ｂ）参照）の旋回時に一体化せしめられているスリーブパーツ５（図２（Ｂ）参照）とナット６（図２（Ｂ）参照）と高さ調整つまみ２（図２（Ｂ）参照）とがキャスター本体１（図２（Ｂ）参照）と共に連れ回りしてしまうのを防止するための締まり嵌めが、ボルト３（図２（Ｂ）参照）の雄ねじ部３ｂ（図４参照）と、高さ調整つまみ２（図２（Ｂ）参照）のボルト収容穴２ｃ（図１６参照）の内周面からボルト収容穴２ｃ（図１６参照）の中心軸線側に突出せしめられた環状突起２ｃ２（図１６参照）とによって構成されている。
【０１００】
更に詳細には、第５の実施形態の高さ調整機能付きキャスター３０では、１個の環状突起２ｃ２（図１６参照）が高さ調整つまみ２（図２（Ｂ）および図１５参照）のボルト収容穴２ｃ（図１６参照）の内周面に形成されている。
【０１０１】
更に、第１の実施形態の高さ調整機能付きキャスター３０では、図２（Ｂ）に示すように、スリーブパーツ５に対するキャスター本体１の旋回時に、一体化せしめられているスリーブパーツ５とナット６と高さ調整つまみ２とがキャスター本体１と共にボルト３に対して連れ回りしてしまうのを防止するために、ボルト３の雄ねじ部３ｂ（図４参照）とスリーブパーツ５の旋回軸部５ａ（図１４参照）のボルト収容穴５ａ４（図１４参照）とによって締まり嵌めが構成されている。
【０１０２】
詳細には、第１の実施形態の高さ調整機能付きキャスター３０では、スリーブパーツ５（図２（Ｂ）参照）に対するキャスター本体１（図２（Ｂ）参照）の旋回時に一体化せしめられているスリーブパーツ５（図２（Ｂ）参照）とナット６（図２（Ｂ）参照）と高さ調整つまみ２（図２（Ｂ）参照）とがキャスター本体１（図２（Ｂ）参照）と共に連れ回りしてしまうのを防止するための締まり嵌めが、ボルト３（図２（Ｂ）参照）の雄ねじ部３ｂ（図４参照）と、スリーブパーツ５（図２（Ｂ）参照）の旋回軸部５ａ（図１４参照）のボルト収容穴５ａ４（図１４参照）の内周面の円筒状部分５ａ４ａ（図１４（Ｄ）および図１４（Ｅ）参照）からボルト収容穴５ａ４（図１４参照）の中心軸線側に突出せしめられた平面状突起５ａ４ｂ（図１４（Ｄ）および図１４（Ｅ）参照）とによって構成されている。
【０１０３】
更に詳細には、第１の実施形態の高さ調整機能付きキャスター３０では、鉛直方向（図１４（Ｄ）の左右方向）に延びている４個の平面状突起５ａ４ｂ（図１４（Ｄ）および図１４（Ｅ）参照）がスリーブパーツ５（図２（Ｂ）および図１４参照）の旋回軸部５ａ（図１４参照）のボルト収容穴５ａ４（図１４（Ｅ）参照）の内周面に周方向に均等に配列されている。
【０１０４】
第１の実施形態の高さ調整機能付きキャスター３０では、ストッパ７（図２（Ｂ）参照）の接地部７ａ（図７および図８参照）を左車輪１２−１（図２（Ａ）および図２（Ｂ）参照）および右車輪１２−２（図２（Ｂ）参照）の最下点よりも下側（図２（Ｃ）の下側）に突出させる機能が設けられているが、第６の実施形態の高さ調整機能付きキャスター３０では、代わりに、この機能を省略することも可能である。つまり、第５の実施形態の高さ調整機能付きキャスター３０では、ストッパ７（図２（Ｂ）参照）、レバー４（図２（Ｂ）参照）などを省略することも可能である。
【０１０５】
また、第１の実施形態の高さ調整機能付きキャスター３０では、キャスター本体１（図４参照）の両側に左車輪１２−１（図４参照）および右車輪１２−２（図４参照）が配置されているが、第７の実施形態の高さ調整機能付きキャスター３０では、代わりに、車輪収容凹部（図示せず）をキャスター本体１（図４参照）の中央部に形成し、キャスター本体１（図４参照）の車輪収容凹部（図示せず）内に１個のみの車輪（図示せず）を配置することも可能である。
【０１０６】
第８の実施形態では、上述した第１から第７の実施形態を適宜組み合わせることも可能である。
【符号の説明】
【０１０７】
１                      キャスター本体
１ａ                    車軸収容穴
１ｂ                    旋回軸収容穴
１ｂ１                  嵌合部
１ｂ２                  環状突起
１ｃ                    左側面
１ｃ１                  凸状面
１ｃ２                  係合溝
１ｄ                    右側面
１ｄ１                  凸状面
１ｄ２                  係合溝
１ｅ                    前側面
１ｆ                    底面
１ｆ１                  収容穴
１ｆ２                  嵌合部
１ｆ３                  係合溝
２                      高さ調整つまみ
２ａ                    つまみ部（ローレット部）
２ｂ                    収容穴
２ｂ１                  係合突起
２ｃ                    ボルト収容穴
２ｃ１                  円筒状部分
２ｃ２                  環状突起
３                      ボルト
３ａ                    雄ねじ部
３ｂ                    雄ねじ部
３ｃ                    中間部
４                      レバー
４ａ                    左フランジ部
４ａ１                  車軸収容穴
４ａ２                  高カム部
４ａ２ａ                先端部
４ａ３                  低カム部
４ｂ                    右フランジ部
４ｂ１                  車軸収容穴
４ｂ２                  高カム部
４ｂ２ａ                先端部
４ｂ３                  低カム部
４ｃ                    中央部
４ｃ１                  ロック用ハンドル部
４ｃ２                  アンロック用ハンドル部
５                      スリーブパーツ
５ａ                    旋回軸部
５ａ１                  嵌合部
５ａ２                  係合部
５ａ３                  環状溝
５ａ４                  ボルト収容穴
５ａ４ａ                円筒状部分
５ａ４ｂ                平面状突起
５ｂ                    上部
５ｂ１                  ナット収容穴
５ｂ２                  係合突起
６                      ナット
６ａ                    雌ねじ部
６ｂ                    外側表面
７                      ストッパ
７ａ                    接地部
７ｂ                    底部
７ｂ１                  柱状凸部
７ｂ１ａ                外側表面
７ｂ１ｂ                ねじ収容穴
７ｃ                    左側壁部
７ｃ１                  内側表面
７ｃ１ａ                係合突起
７ｃ２                  上側表面
７ｃ２ａ                高カム当接部
７ｃ２ａ１              収容凹部
７ｃ２ｂ                低カム当接部
７ｄ                    右側壁部
７ｄ１                  内側表面
７ｄ１ａ                係合突起
７ｄ２                  上側表面
７ｄ２ａ                高カム当接部
７ｄ２ａ１              収容凹部
７ｄ２ｂ                低カム当接部
７ｅ                    前側壁部
７ｅ１                  内側表面
８                      バネ座部材
８ａ                    外側表面
８ａ１                  嵌合部
８ａ２                  係合突起
８ｂ                    内側表面
８ｃ                    上側表面
９                      圧縮コイルバネ
９ａ                    上端部
９ｂ                    下端部
１０                    ねじ
１０ａ                  雄ねじ部
１０ｂ                  ねじ頭
１１                    車軸
１１ａ                  嵌合部
１１ｂ                  嵌合部
１１ｃ                  嵌合部
１１ｄ                  左端部
１１ｄ１                嵌合部
１１ｄ２                係合部
１１ｄ３                環状溝
１１ｅ                  右端部
１１ｅ１                嵌合部
１１ｅ２                係合部
１１ｅ３                環状溝
１２−１                左車輪
１２−１ａ              車軸収容穴
１２−１ａ１            嵌合部
１２−１ａ２            環状突起
１２−２                右車輪
１２−２ａ              車軸収容穴
１２−２ａ１            嵌合部
１２−２ａ２            環状突起
１３−１                左ホイールカバー
１３−２                右ホイールカバー
２０                    旋回軸ユニット
３０                    高さ調整機能付きキャスター
ＶＳ                    鉛直面
【図１】
2010247761.tif 000003
【図２】
2010247761.tif 000004
【図３】
2010247761.tif 000005
【図４】
2010247761.tif 000006
【図５】
2010247761.tif 000007
【図６】
2010247761.tif 000008
【図７】
2010247761.tif 000009
【図８】
2010247761.tif 000010
【図９】
2010247761.tif 000011
【図１０】
2010247761.tif 000012
【図１１】
2010247761.tif 000013
【図１２】
2010247761.tif 000014
【図１３】
2010247761.tif 000015
【図１４】
2010247761.tif 000016
【図１５】
2010247761.tif 000017
【図１６】
2010247761.tif 000018